(57)【要約】【課題】第１の印刷が行われた印刷媒体に対応する順序で第２の印刷を行っている間に第２の印刷が中断した場合に、この中断により失った印刷媒体を手作業で特定しなくとも、第１の印刷がなされた印刷媒体を回収することが可能な印刷制御装置及びプログラムを提供する。【解決手段】印刷制御装置は、印刷装置に対して、第１の印刷媒体に複数のページ画像を含む第１の印刷データを特定の条件で印刷する第１の印刷を指令する第１の印刷指令手段と、第１の印刷が行われた第１の印刷媒体に、第１の印刷データを複数のページ画像に対応する順序で重ねて印刷する第２の印刷を指令する第２の印刷指令手段と、第２の印刷が中断した場合に、新たな第２の印刷媒体に、複数のページ画像のうち中断したことにより第２の印刷が行われなかったページ画像に対応する第２の印刷データを特定の条件で印刷する第１の印刷を指令する第３の印刷指令手段とを備える。【選択図】図１
2020052500.tif 000002
【特許請求の範囲】
【請求項１】
印刷装置に対して、第１の印刷媒体に複数のページ画像を含む第１の印刷データを特定の条件で印刷する第１の印刷を指令する第１の印刷指令手段と、
前記第１の印刷が行われた前記第１の印刷媒体に、前記第１の印刷データを前記複数のページ画像に対応する順序で重ねて印刷する第２の印刷を指令する第２の印刷指令手段と、
前記第２の印刷が中断した場合に、新たな第２の印刷媒体に、前記複数のページ画像のうち中断したことにより前記第２の印刷が行われなかったページ画像に対応する第２の印刷データを前記特定の条件で印刷する前記第１の印刷を指令する第３の印刷指令手段と
を備える印刷制御装置。
【請求項２】
中断した前記第２の印刷が再開した場合に、
再開した前記第２の印刷が行われた前記第１の印刷媒体を前記印刷装置に出力させる出力指令手段をさらに備える、
請求項１に記載の印刷制御装置。
【請求項３】
前記出力指令手段は、出力される前記第１の印刷媒体の前に、前記中断が発生したことを示す目印となる目印媒体をさらに出力するよう指令する、
請求項２に記載の印刷制御装置。
【請求項４】
前記出力指令手段は、前記第１の印刷が行われた前記第２の印刷媒体を、前記第２の印刷が行われた前記第１の印刷媒体と異なる出力先に出力するよう指令する、
請求項２に記載の印刷制御装置。
【請求項５】
前記印刷装置から、中断したページ画像の前記複数のページ画像における位置を示す中断位置情報を取得する取得手段をさらに備え、
前記第３の印刷指令手段は、前記中断したページ画像から特定の数のページ画像を前記第２の印刷データとして印刷するよう前記印刷装置に指令する、
請求項２から４のいずれか１項に記載の印刷制御装置。
【請求項６】
前記取得手段を第１の取得手段とした場合に、
前記印刷装置から、前記特定の数を取得する第２の取得手段をさらに備える、
請求項５に記載の印刷制御装置。
【請求項７】
前記印刷装置に投入された前記第１の印刷媒体の枚数と、前記印刷装置から出力された前記第１の印刷媒体の枚数との差分に応じて、前記特定の数を算出する算出手段をさらに備える、
請求項５に記載の印刷制御装置。
【請求項８】
前記第１の印刷が行われた前記第２の印刷媒体に前記第２の印刷データを対応する順序で重ねて印刷する前記第２の印刷を指令する第４の印刷指令手段をさらに備える、
請求項１に記載の印刷制御装置。
【請求項９】
前記第２の印刷が中断した場合に、前記印刷装置から、中断したページ画像の前記複数のページ画像における位置を示す中断位置情報を取得する取得手段と、
前記第２の印刷が行われた前記第１の印刷媒体が、前記第２の印刷媒体を給紙する給紙先と異なる給紙先から給紙された場合に、前記第２の印刷媒体を前記中断位置が示す中断位置に挿入して前記第１の印刷媒体及び前記第２の印刷媒体を出力するよう指令する出力指令手段と、
をさらに備える、
請求項８に記載の印刷制御装置。
【請求項１０】
コンピュータを、
印刷装置に対して、第１の印刷媒体に複数のページ画像を含む第１の印刷データを特定の条件で印刷する第１の印刷を指令する第１の印刷指令手段と、
前記第１の印刷が行われた前記第１の印刷媒体に、前記第１の印刷データを前記複数のページ画像に対応する順序で重ねて印刷する第２の印刷を指令する第２の印刷指令手段と、
前記第２の印刷が中断した場合に、新たな第２の印刷媒体に、前記複数のページ画像のうち中断したことにより前記第２の印刷が行われなかったページ画像に対応する第２の印刷データを前記特定の条件で印刷する前記第１の印刷を指令する第３の印刷指令手段
として機能させるためのプログラム。
【発明の詳細な説明】
【技術分野】
【０００１】
本発明は、印刷制御装置及びプログラムに関する。
【背景技術】
【０００２】
近年、追い刷り印刷に際しジャムが発生した場合でも、最終成果物を不足なく得ることができる印刷制御装置が提案されている（例えば、特許文献１参照。）。
【０００３】
特許文献１に記載された印刷制御装置は、画像データに基づいて転写媒体に画像形成を行う画像形成部と、前記転写媒体を搬送する搬送部と、画像データを管理し、前記画像形成部と前記搬送部とを制御する制御部と、を有し、前記制御部は、当該画像形成装置で下地画像と追い刷り画像を印刷する場合に、追い刷り画像の出力中に転写媒体のジャムを検知したとき、ジャム処理によって除外されたジャムの転写媒体に変えて、当該画像形成装置で下地画像が出力された転写媒体を印刷用に補充をする。
【先行技術文献】
【特許文献】
【０００４】
【特許文献１】特開２０１７−１５４３６７号公報
【発明の概要】
【発明が解決しようとする課題】
【０００５】
本発明の目的は、第１の印刷が行われた印刷媒体に対応する順序で第２の印刷を行っている間に第２の印刷が中断した場合に、この中断により失った印刷媒体を手作業で特定しなくとも、第１の印刷がなされた印刷媒体を回収することが可能な印刷制御装置及びプログラムを提供することにある。
【課題を解決するための手段】
【０００６】
［１］印刷装置に対して、第１の印刷媒体に複数のページ画像を含む第１の印刷データを特定の条件で印刷する第１の印刷を指令する第１の印刷指令手段と、
前記第１の印刷が行われた前記第１の印刷媒体に、前記第１の印刷データを前記複数のページ画像に対応する順序で重ねて印刷する第２の印刷を指令する第２の印刷指令手段と、
前記第２の印刷が中断した場合に、新たな第２の印刷媒体に、前記複数のページ画像のうち中断したことにより前記第２の印刷が行われなかったページ画像に対応する第２の印刷データを前記特定の条件で印刷する前記第１の印刷を指令する第３の印刷指令手段と
を備える印刷制御装置。
［２］中断した前記第２の印刷が再開した場合に、
再開した前記第２の印刷が行われた前記第１の印刷媒体を前記印刷装置に出力させる出力指令手段をさらに備える、
前記［１］に記載の印刷制御装置。
［３］前記出力指令手段は、出力される前記第１の印刷媒体の前に、前記中断が発生したことを示す目印となる目印媒体をさらに出力するよう指令する、
前記［２］に記載の印刷制御装置。
［４］前記出力指令手段は、前記第１の印刷が行われた前記第２の印刷媒体を、前記第２の印刷が行われた前記第１の印刷媒体と異なる出力先に出力するよう指令する、
前記［２］に記載の印刷制御装置。
［５］前記印刷装置から、中断したページ画像の前記複数のページ画像における位置を示す中断位置情報を取得する取得手段をさらに備え、
前記第３の印刷指令手段は、前記中断したページ画像から特定の数のページ画像を前記第２の印刷データとして印刷するよう前記印刷装置に指令する、
前記［２］から［４］のいずれか１つに記載の印刷制御装置。
［６］前記取得手段を第１の取得手段とした場合に、
前記印刷装置から、前記特定の数を取得する第２の取得手段をさらに備える、
前記［５］に記載の印刷制御装置。
［７］前記印刷装置に投入された前記第１の印刷媒体の枚数と、前記印刷装置から出力された前記第１の印刷媒体の枚数との差分に応じて、前記特定の数を算出する算出手段をさらに備える、
前記［５］に記載の印刷制御装置。
［８］前記第１の印刷が行われた前記第２の印刷媒体に前記第２の印刷データを対応する順序で重ねて印刷する前記第２の印刷を指令する第４の印刷指令手段をさらに備える、
前記［１］に記載の印刷制御装置。
［９］前記第２の印刷が中断した場合に、前記印刷装置から、中断したページ画像の前記複数のページ画像における位置を示す中断位置情報を取得する取得手段と、
前記第２の印刷が行われた前記第１の印刷媒体が、前記第２の印刷媒体を給紙する給紙先と異なる給紙先から給紙された場合に、前記第２の印刷媒体を前記中断位置が示す中断位置に挿入して前記第１の印刷媒体及び前記第２の印刷媒体を出力するよう指令する出力指令手段と、
をさらに備える、
前記［８］に記載の印刷制御装置。
［１０］コンピュータを、
印刷装置に対して、第１の印刷媒体に複数のページ画像を含む第１の印刷データを特定の条件で印刷する第１の印刷を指令する第１の印刷指令手段と、
前記第１の印刷が行われた前記第１の印刷媒体に、前記第１の印刷データを前記複数のページ画像に対応する順序で重ねて印刷する第２の印刷を指令する第２の印刷指令手段と、
前記第２の印刷が中断した場合に、新たな第２の印刷媒体に、前記複数のページ画像のうち中断したことにより前記第２の印刷が行われなかったページ画像に対応する第２の印刷データを前記特定の条件で印刷する前記第１の印刷を指令する第３の印刷指令手段
として機能させるためのプログラム。
【発明の効果】
【０００７】
請求項１、１０に係る発明によれば、第１の印刷が行われた印刷媒体に応する順序で第２の印刷を行っている間に第２の印刷が中断した場合に、この中断により失った印刷媒体を手作業で特定しなくとも、第１の印刷がなされた印刷媒体が回収される。
請求項２に係る発明によれば、第２の印刷が中断した場合であっても、残りの第２の印刷が実行される。
請求項３に係る発明によれば、第２の印刷が中断した位置をユーザが認識しやすくなる。
請求項４に係る発明によれば、中断する前に第２の印刷が実行された印刷媒体と中断後の再開により第２の印刷が実行された印刷媒体とが仕分けて排出される。
請求項５、６、７に係る発明によれば、中断により失った印刷媒体が過不足なく回収される。
請求項８、９に係る発明によれば、リカバリシートの出力による紙の無駄が抑制される。
【図面の簡単な説明】
【０００８】
【図１】図１は、本発明の実施の形態に係る印刷システムの構成及び制御系の一例を示すブロック図である。
【図２】図２は、再開確認ダイアログの一例を示す図である。
【図３】図３は、リカバリシートの一例を示す図である。
【図４】図４は、追い刷りの一例を示す模式図である。
【図５】図５（ａ）及び（ｂ）は、追い刷りが行われたメディアを模式的に示す縦断面図である。
【図６】図６は、本動作の説明に用いる追い刷りの一例を示す図である。
【図７】図７は、比較例におけるジャム発生後に再開した第２の印刷の一例を示す図である。
【図８】図８は、図１に示す印刷制御装置の動作の一例を示すフローチャートである。
【図９】図９は、印刷制御装置のジャム発生後の処理に係る動作の一例を示すフローチャートである。
【図１０】図１０は、第２の印刷の再開により排出されるメディアの一例を示す図である。
【図１１】図１１は、失われたメディアに対応する再度の印刷の一例を示す図である。
【図１２】図１２は、給紙確認ダイアログの一例を示す図である。
【図１３】図１３は、変形例に係る不足分の回収の一例を示す図である。
【図１４】図１４は、変形例に係る不足分の回収の一例を示す図である。
【発明を実施するための形態】
【０００９】
以下、本発明の実施の形態について図面を参照して説明する。なお、各図中、実質的に同一の機能を有する構成要素については、同一の符号を付してその重複した説明を省略する。
【００１０】
［実施の形態の要約］
本実施の形態に係る印刷制御装置は、印刷装置に対して、第１の印刷媒体に複数のページ画像を含む第１の印刷データを特定の条件で印刷する第１の印刷を指令する第１の印刷指令手段と、第１の印刷が行われた第１の印刷媒体に、第１の印刷データを複数のページ画像に対応する順序で重ねて印刷する第２の印刷を指令する第２の印刷指令手段と、第２の印刷が中断した場合に、新たな第２の印刷媒体に、複数のページ画像のうち中断したことにより第２の印刷が行われなかったページ画像に対応する第２の印刷データを特定の条件で印刷する第１の印刷を指令する第３の印刷指令手段とを備える。
【００１１】
「第１の印刷データ」は、ユーザの指示により受け付けた印刷指示に含まれる印刷の対象となるデータである。「第１の印刷媒体」は、第１の印刷データを印刷する媒体であり、第１の印刷データを構成するページ画像の数に対応した数を有する。
【００１２】
「特定の条件」は、印刷の態様に係る条件のうち特に定められた条件をいう。「特定の条件」には、例えば、印刷に用いる色を特定の色（例えば、白色）に限定することが含まれる。「第１の印刷」は、当該特定の条件で行う印刷をいう。
【００１３】
第２の印刷は、上述の特定の条件に限られずに第１の印刷で印刷されたページ画像の順序に対応する順序で印刷データを重ねて印刷を行うことをいう。「対応する順序」とは、第１の印刷データを構成するページ画像と同一の順序であることをいう。また、第２の印刷は、例えば、有彩色で実行される。なお、有彩色は、白色を排除するものではない。
【００１４】
「中断」とは、例えば、紙詰まり、停電、部品の破損等の機械的な原因によって、印刷ジョブが完了していないにも関わらず、印刷の動作が停止することをいう。なお、本発明における「中断」とは、外部から何らかの復帰処理を施さない限り再開しないことをいい、単なる再開指示により再開が可能な一時的な停止を含まないものとする。
【００１５】
［実施の形態］
図１は、本発明の実施の形態に係る印刷システムの構成及び制御系の一例を示すブロック図である。この印刷システム１は、印刷制御装置２と、印刷制御装置２により制御されるプリンタ３と、操作者（以下、「ユーザ」ともいう。）の操作に応じて印刷制御装置２及びプリンタ３に指示を行う端末装置４とを有して構成されている。また、これら印刷制御装置２、プリンタ３及び端末装置４は、ネットワーク７を介して互いに接続されている。
【００１６】
印刷制御装置２は、例えば、ＤＦＥ（Digital Front End）等、プリンタ３を制御するプリントサーバ機能を有する装置である。プリンタ３は、印刷装置の一例である。
【００１７】
端末装置４には、例えば、パーソナルコンピュータや、タブレッド端末、多機能携帯電話機（スマートフォン）等の携帯情報端末を用いることができる。ネットワーク７は、例えば、ローカルエリアネットワーク（ＬＡＮ）、ワイドエリアネットワーク（ＷＡＮ）、インターネット、イントラネット等であり、有線でも無線でもよい。
【００１８】
（印刷制御装置２の構成）
印刷制御装置２は、各部を制御する制御部２０と、各種のデータを記憶する記憶部２１と、キーボード、マウス等で実現される入力部２２と、液晶ディスプレイ等で実現される表示部２３と、プリンタ３及び端末装置４との間でネットワーク７を介して通信するネットワーク通信部２４とを備える。
【００１９】
制御部２０は、ＣＰＵ（Central Processing Unit）、インターフェース等から構成されている。ＣＰＵは、記憶部２１に記憶されたプログラム２１０に従って動作することにより、受付手段２００、処理手段２０１、実行指令手段２０２、表示制御手段２０３、検知手段２０４、生成手段２０５、取得手段２０６、排出指令手段２０７等として機能する。実行指令手段２０２は、第１〜第４の印刷指令手段の一例である。取得手段２０６は、第１の取得手段、第２の取得手段、及び算出手段の一例である。排出指令手段２０７は、出力指令手段の一例である。各手段２００〜２０７の詳細については後述する。
【００２０】
記憶部２１は、ＲＯＭ（Read Only Memory）、ＲＡＭ（Random Access Memory）、ハードディスク等から構成され、プログラム２１０、ジョブ情報２１１、用紙属性情報２１２、画面情報２１３（図２参照）、ジャム情報２１４等の各種データを記憶する。なお、本明細書において、記憶部２１に情報を書き込む場合に「記憶」を用い、上記各種情報に特定の内容を書き込む場合に「記録」を用いる。
【００２１】
ジョブ情報２１１は、印刷の指示（以下、「印刷ジョブ」ともいう。）に係る情報である。ジョブ情報２１１は、例えば、ユーザの操作により生成された印刷ジョブ２１１０（以下、「オリジナルジョブ２１１０」ともいう。）や、後述するジャムの発生に伴い生成手段２０５により生成される暫定的なジョブ２１１１（以下、「テンポラリジョブ２１１１」ともいう。）等を含む。
【００２２】
用紙属性情報２１２は、プリンタ３の給紙トレイ３２（図１３（ａ）参照。）で使用する印刷に供する用紙（以下、「印刷用紙」又は「メディア」ともいう。図４参照。）の材質や下地の色等の属性を示す情報であり、給紙トレイ３２を識別する情報と関連付けて記録されている。メディア５は、印刷媒体（印刷の対象となる印刷データが出力される対象物）の一例である。
【００２３】
次に、図２を参照して画面情報２１３について説明する。図２は、再開確認ダイアログの一例を示す図である。再開確認ダイアログ６は、ユーザに印刷の再開（「リカバリ」ともいう。）の確認を行う再開確認画面の一例である。再開確認ダイアログ６には、例えば、ユーザに印刷の再開を案内するメッセージ６１や、印刷の再開を指示するプリント開始釦６３等が設けられている。
【００２４】
ジャム情報２１４は、例えば、紙詰まりや破損等の機械的な原因により発生した印刷の動作が中断する事象（以下、「ジャム」ともいう。）を特定する情報である。ジャム情報２１４には、例えば、ジャムを識別するジャムＩＤ５００や、ジャムが発生した位置（以下、「中断位置」ともいう。）を示す位置情報、ジャムにより失われたメディア５の枚数を示す情報等が含まれる。中断位置を示す位置情報は、中断位置情報の一例である。失われたメディア５の枚数は、特定の数の一例である。
【００２５】
ネットワーク通信部２４は、ＮＩＣ（Network Interface Card）等によって実現され、ネットワーク７を介してプリンタ３や端末装置４との間で信号を送受信する。
【００２６】
次に、制御部２０を構成する各手段２００〜２０７について説明する。受付手段２００は、端末装置４から送信される印刷ジョブや、プリンタ３から送信される各種の情報、及び入力部２２や端末装置４に対してユーザにより行われる各種操作を受け付ける。また、受付手段２００は、受け付けた印刷ジョブに係る情報を記憶部２１のジョブ情報２１１に記録する。
【００２７】
印刷ジョブは、プリンタ３が解釈できるＰＤＦ（Portable Document Format)、ＰｏｓｔＳｃｒｉｐｔ（登録商標）等のページ記述言語（ＰＤＬ：Page Description Language）を用いてページの単位で記述された印刷データと、印刷を実行するための各種の条件（以下、「印刷条件」ともいう。）とを含んで構成される。オリジナルジョブ２１１０に含まれる印刷データは、第１の印刷データの一例である。テンポラリジョブ２１１１に含まれる印刷データは、第２の印刷データの一例である。
【００２８】
印刷条件は、メディア５の種類、サイズ等のメディア５の属性情報や、白黒印刷／カラー印刷の選択に係る情報、片面印刷／両面印刷の選択に係る情報、印刷部数に係る情報等の印刷態様に係る条件（以下、「印刷態様条件」ともいう。）と、後述する追い刷りの属性情報等の追い刷りに係る条件（以下、「追い刷り条件」ともいう。）とを含む。
【００２９】
追い刷りの属性情報は、例えば、追い刷りを行うか否かを示す情報（以下、「追い刷りモード」ともいう。）等を含んで構成される。追い刷りモードは、例えば、「ＯＮ」（追い刷りを行うモード）や「ＯＦＦ」（追い刷りを行わないモード）等の表現で表される。
【００３０】
処理手段２０１は、受付手段２００が受け付けた印刷ジョブに含まれる印刷データに対して、プリンタ３で印刷を実行するために必要な処理を行う。処理手段２０１は、例えば、ＰＤＬを解釈する処理、すなわち、ＰＤＬで記述された印刷データをラスターデータからなる画像データ（以下、「ラスター画像データ」ともいう。）に変換するＲＩＰ（Raster Image Processor）処理等を行う。
【００３１】
ラスター画像データは、１ドット（画素、pixel）単位の点の集まりで構成されたビットマップ形式の印刷用の画像（以下、「印刷画像」又は「ラスター画像」ともいう。）に係るデータをいう。ラスター画像は、例えば、ＪＰＥＧ（Joint Photographic Experts Group）、ＴＩＦＦ（Tag Image File Format）、ＧＩＦ（Graphics Interchange Format）、ＰＮＧ（Portable Network Graphics）等の出力形式で生成される。
【００３２】
また、ラスター画像は、プリンタ３の有彩色（以下、「カラー」）の記録材（例えば、Ｃ、Ｍ、Ｙ及びＫの４色の記録材）に対応するカラー版（例えば、Ｃ版、Ｍ版、Ｙ版及びＫ版、総称して「ＣＭＹＫ版」ともいう。）と、特定の色（例えば、白色やメタリック）に対応する特殊版と、印刷データに含まれる文字や図形などのオブジェクトを識別する識別情報を記録したタグ版とを含んで構成される。
【００３３】
実行指令手段２０２は、印刷ジョブに応じて指定されたプリンタ３に印刷の実行を指令する。具体的には、実行指令手段２０２は、印刷の実行を指令する実行指令情報を生成して当該実行指令情報をネットワーク通信部２４によりネットワーク７を介して指定されたプリンタ３に送信することにより当該プリンタ３に印刷の実行を指令する。
【００３４】
実行指令情報には、例えば、上述の印刷態様条件と、処理手段２０１により生成されたラスター画像５０とが含まれる。
【００３５】
なお、特定の色による印刷を指令する場合に、ラスター画像５０として特殊版のみを実行指令情報に含めるとともに、カラーによる印刷を指令する場合に、ラスター画像５０としてＣＭＹＫ版のみを実行指令情報に含めてもよい。
【００３６】
表示制御手段２０３は、表示部２３に、上述した再開確認ダイアログ６等の各種の画面を表示するよう制御する。なお、表示制御手段２０３は、端末装置４に画面を表示するよう指令する表示指令情報を端末装置４に送信して、端末装置４の表示画面（不図示）に画面を表示させてもよい。
【００３７】
検知手段２０４は、ジャムが発生したことを検知する。取得手段２０５は、検知手段２０４がジャムの発生を検知した場合に、ジャムの発生により印刷が中断した中断位置を示す位置情報（すなわち、ジャムの発生の対象となったメディア５が全メディア５において何枚目のものかを示す数情報、又は中断の発生に係るページ画像のページ数）をプリンタ３から取得して記憶部２１のジャム情報２１４に記録する。
【００３８】
また、取得手段２０５は、記憶部２１のジャム情報２１４に記録された中断位置を示す位置情報を取得して、ジャムにより失われたメディア５の枚数を算出する。あるいは、取得手段２０５は、失われたメディア５の枚数を算出せずに、プリンタ３から失われたメディア５の枚数を示す情報を取得してもよい。
【００３９】
ここで、「失われた」（以下、「不足分」ともいう。）とは、ジャムの発生によりプリンタ３の内部に留まりプリンタ３から排出されていない状態をいう。なお、メディア５をプリンタ３から手動で取り出せた場合であっても、当該メディア５に、しわ、折れ、裂け、印字のかすれ、印刷位置のズレ等の不具合が生じたことにより、当該メディア５が第２の印刷に適さない状態（すなわち、ヤレ紙）になっている場合も「失われた」状態に含めることとする。失われたメディア５の枚数は、少なくとも１枚以上である。
【００４０】
一例として、取得手段２０５は、プリンタ３から、プリンタ３に投入された（「フィードされた」という。）メディア５の枚数を示す情報と、第２の印刷が完了してプリンタ３から排出されたメディア５の枚数を示す情報とを取得して、フィードされたメディア５の枚数と排出されたメディア５の枚数との差を求め、この差を失われたメディア５の枚数としてもよい。
【００４１】
「投入された」とは、単に給紙トレイ３２にメディア５が給紙されたことではなく、プリンタ３のフィード機能によって給紙トレイ３２からプリンタ３の内部にメディア５を取り込むことをいう。
【００４２】
生成手段２０６は、取得手段２０５により取得された中断位置を示す位置情報や、失われたメディア５の枚数を示す情報に基づいて、失われたメディア５を回収するための再度の印刷の実行を指示するテンポラリジョブ２１１１を生成する。テンポラリジョブ２１１１は、失われたメディア５に対応する少なくとも１つ以上のページ画像のデータと印刷態様条件とを含んで構成される。「失われたメディア５に対応するページ画像のデータ」は、第２の印刷データの一例である。
【００４３】
排出指令手段２０７は、プリンタ３に対して、ジャム発生後の処理において、目印となる紙媒体（以下、「リカバリシート」ともいう。）を生成して失われたメディア５の位置に排出するよう指令する。リカバリシートは、目印媒体の一例である。
【００４４】
図３は、リカバリシートの一例を示す図である。リカバリシート５ｅには、例えば、ジャムを識別するジャムＩＤ５００、生成手段２０５により生成されたテンポラリジョブ２１１１を識別するテンポラリジョブＩＤ５００Ａ，５００Ｂ等が印字されている。これらの印字は、排出指令手段２０７からの指令に応じて、プリンタ３が行う。
【００４５】
（追い刷り）
次に、追い刷りについて図４及び図５を参照して説明する。図４は、追い刷りの一例を示す模式図である。追い刷りとは、特定の色のみによる印刷（以下、「第１の印刷」ともいう。）を行った後に、該特定の色以外の色を含む多色（グレースケール、金属色、カラー等）による印刷（以下、「第２の印刷」ともいう。）を第１の印刷に対応する順序で重ねて行うことをいう。「特定の色のみ」は、特定の条件の一例である。
【００４６】
以下、第１の印刷及び第２の印刷をともに１回ずつ行う場合を例に挙げて説明するが、第１の印刷は複数回行ってもよい。第１の印刷を複数回行う場合、２回目以降の第１の印刷は、１回目の第１の印刷の順序に対応する順序で重ねて行う。また、第１の印刷を複数回行う場合、第２の印刷と複数の第１の印刷とそれぞれを別々に実施する形態に限定されるものではなく、例えば、第２の印刷を行う際に合わせて最終の第１の印刷を１回で（すなわち、同時に）行ってもよい。
【００４７】
「特定の色」は、例えば、メディア５の下地の色に応じて定めてもよい。メディア５は、例えば、紙で形成された媒体である。図４各図に示すように、例えば、メディア５の下地が黒色の場合、特定の色として白色（一色）を用いてもよい。なお、図４各図に示すメディア５の下地は黒色であるが、説明の便宜上、メディア５の縁部のみを黒で描き、縁部以外の面の部分には黒色よりも薄い色（灰色）を付した。また、カラーについては、グレースケールで表した。以下同様とする。
【００４８】
図４各図の左列は、ラスター画像５０の一例を示し、中列は、プリンタ３に給紙されるメディア５Ａの一例を示し、右列は、プリンタ３から排出されるメディア５Ｂの一例を示している。図４（ａ）に示すように、まず、１回目に、ラスター画像５０のうち特殊版５０Ａに対応する白色の記録材のみを用いた白色による第１の印刷を行う。
【００４９】
なお、第１の印刷で使用される白色の記録材の量は、適宜調整可能であり、例えば、当該印刷システム１に応じて許可されている最大の量に設定してもよい。
【００５０】
次に、ユーザは、プリンタ３から排出された第１の印刷が実行済みのメディア５Ｂを給紙トレイ３２に配置（セット）する。図４（ｂ）に示すように、第１の印刷が実行済みのメディア５Ａに対して、ＣＭＹＫ版５０Ｂに対応するＣＭＹＫの記録材を用いるカラーによる第２の印刷を第１の印刷に対応する順序で重ねて行う。
【００５１】
図５は、追い刷りが行われたメディア５を模式的に示す縦断面図であり、図５（ａ）及び（ｂ）は、それぞれ図４（ａ）及び（ｂ）の右列の図に対応する。なお、図５で図示した各記録材層５１，５２の厚み及びメディア５の厚みの寸法比は、必ずしも実際の寸法比と一致するものではない。また、説明の便宜上、各記録材層５１，５２をメディア５の横方向における領域の全体に亘って描いたが、実際は、メディア５における印刷が行われた領域（例えば、印字の位置や印刷される図の位置）のみに積層されている点に留意されたい。
【００５２】
図５（ａ）及び（ｂ）に示すように、第１の印刷が行われるとメディア５上に白色記録材層５１が積層され、第２の印刷が行われると白色記録材層５１上にＣＭＹＫ記録材層５２が積層される。なお、ＣＭＹＫ記録材層５２を構成する各層（Ｃ層５２Ｃ、Ｍ層５２Ｍ、Ｙ層５２Ｙ及びＫ層５２Ｋ）の順序は、図５（ｂ）に示す順序に限定されるものではない。
【００５３】
（実施の形態の動作）
次に、印刷システム１の動作の一例について図６から図１１を参照して説明する。図６は、本動作の説明に用いる追い刷りの一例を示す図であり、（ａ）は、第１の印刷、すなわち白色による印刷の一例を示す図であり、（ｂ）は、第２の印刷、すなわちカラーによる印刷の一例を示す図である。
【００５４】
メディア５は、上述したように、黒色の下地を有しているものとする。また、以下では、４枚のメディア５ａ〜５ｄに対して対応する４つのページ画像（すなわち、４頁）をそれぞれ印刷する場合を例に挙げて説明する。なお、メディア５の枚数及びページ画像の数は、一例であり、４つに限定されるものではない。
【００５５】
図６（ａ）に示すように、第１の印刷により、複数（４枚）のメディア５ａ〜ｄに対してそれぞれ、原稿（不図示）を構成する各ページ画像に対応したラスター画像５０の特殊版５０Ａに応じて、写真や文字等の印刷データの領域に白色の記録材を用いる印刷を行う。なお、図６（ａ）において、各メディア５ａ〜５ｄを示す図形の上側には、それぞれのメディア５ａ〜５ｄを特定するために、白色を示すアルファベット「ＷＨＴ」と何ページ目か示す数字（１〜４）とからなる文字列を付した。図６（ａ）に示す第１の印刷が実行された１枚目から４枚目のメディア５ａ〜５ｄは、第１の印刷媒体の一例である。
【００５６】
次に、図６（ｂ）に示すように、第１の印刷が実行されたメディア５ａ〜５ｄに対してそれぞれ、原稿の各ページ画像に対応したラスター画像５０のＣＭＹＫ版５０Ｂに応じて、印刷データの領域にＣＭＹＫの記録材を用いるカラーによる印刷を行う。なお、図６（ｂ）において、各メディア５ａ〜５ｄを示す図形の上側には、アルファベット「ＣＭＹＫ」と何ページ目か示す数字（１〜４）とからなる文字列を付した。
【００５７】
この第２の印刷中に、紙詰まり等の原因でジャムが発生し、図６（ｂ）の破線枠で囲まれた少なくとも１つ以上のメディア５（この例では、２枚のメディア５ｂ，５ｃ）がプリンタ３の内部に留まり、プリンタ３から排出されない場合の動作について説明する。
【００５８】
図７は、比較例におけるジャムの発生後に再開した第２の印刷の一例を示す図である。図７に示すように、第２の印刷が完了したメディア５（この例では、１ページ目のメディア５ａ）は、プリンタ３から排出される。これに対して、ジャムによってプリンタ３の内部に留まっているメディア５は、プリンタ３から排出されない（図７の「×」印参照。）。
【００５９】
かかる状態において、ユーザの指示に基づいて第２の印刷を再開させる場合、メディア５とページ画像との対応関係にずれが生じる場合がある。対応関係にずれが生じると、一例として図７の４枚目のメディア５ｄに示すように、動作の再開により第１の印刷により印字された内容と対応しない内容が第２の印刷により印字され、メディア５を無駄にしてしまう場合があった。
【００６０】
図８は、図１に示す印刷制御装置２の動作の一例を示すフローチャートである。なお、以下の説明では、印刷システム１の動作のうち特に印刷制御装置２に係る動作の一部に対して「Ｓ」と数字とからなるステップ番号を付すものとする。また、ジャム発生までの動作と、ジャム発生後の動作とに分けて説明する。
【００６１】
（１）ジャム発生までの動作
まず、受付手段２００は、ユーザの操作により端末装置４から送信される印刷ジョブ（オリジナルジョブ２１１０）を受け付ける（Ｓ１）。また、受付手段２００は、オリジナルジョブ２１１０を記憶部２１に記憶する。なお、印刷ジョブは、プリンタ３の操作部（不図示）を操作することにより生成するようにしてもよい。
【００６２】
受け付けられた印刷ジョブ（オリジナルジョブ）の追い刷りモードが「ＯＮ」の場合（Ｓ２：ＯＮ）、実行指令手段２０２は、プリンタ３に、第１の印刷の実行を指令する（Ｓ３）。プリンタ３は、実行指令手段２０２による指令に応じて第１の印刷りを実行する。
【００６３】
プリンタ３は、印刷が完了すると、印刷が完了したことを示す結果情報を印刷制御装置２に送信する。受付手段２００は、プリンタ３から送信された結果情報を受け付ける。
【００６４】
次に、実行指令手段２０２は、プリンタ３に第２の印刷の実行を指令する（Ｓ４）。プリンタ３は、実行指令手段２０２による指令に応じて印刷を実行する。
【００６５】
第２の印刷の実行中にジャムが発生した場合（Ｓ５：Ｙｅｓ）、検知手段２０４は、ジャムが発生により中断した中断位置を検知してこの位置情報を記憶部２１のジャム情報２１４に記録する（Ｓ６）。また、印刷制御装置２は、ジャム発生後の処理を実行する（Ｓ７）。
【００６６】
（２）ジャム発生後の動作
図９は、ジャム発生後の処理に係る動作の一例を示すフローチャートである。ジャムが発生したときに実行中の印刷ジョブ（オリジナルジョブ）の追い刷りモードが「ＯＮ」の場合（Ｓ７０：ＯＮ）、表示制御手段２０３は、図２に示すように、表示部２３に再開確認ダイアログ６を表示するよう制御する（Ｓ７１）。
【００６７】
表示部２３に表示された再開確認ダイアログ６のプリント開始釦６３に対して操作が行われると（Ｓ７２：Ｙｅｓ）、取得手段２０５は、記憶部２１に記憶されたジャム情報２１４から中断位置（説明の例では、２枚目の位置で中断したことを示す情報）を取得するとともに（Ｓ７３）、当該ジャムにより失われた少なくとも１枚以上のメディア５の枚数（説明の例では、２枚目のメディア５ｂ及び３枚目のメディア５ｃの２枚）を取得する（Ｓ７４）。
【００６８】
次に、生成手段２０６は、少なくとも１枚以上の失われたメディア５に対応する第２の印刷データを白色により印刷する第１の印刷に係る第１のテンポラリジョブ２１１１Ａを生成して記憶部２１に記憶するとともに（Ｓ７５）、これらメディア５ｂ，５ｃに対応する第２の印刷データを白色上に対応する順序で重ねてカラーにより印刷する第２の印刷に係る第２のテンポラリジョブ２１１１Ｂを生成して記憶部２１に記憶する（Ｓ７６）。
【００６９】
次に、排出指令手段２０７は、プリンタ３に対して、図３に示すように、ジャムＩＤ５００やテンポラリジョブＩＤ５０１Ａ，５０１Ｂが記載されたリカバリシート５ｅを作成して、中断位置に当該リカバリシート５ｅを排出するよう指令する（Ｓ７７）。
【００７０】
第２の印刷の中断により、プリンタ３にフィードされていないメディア５（説明の例では、４枚目のメディア５ｄ、以下、「残りページ」ともいう。）がある場合（Ｓ７８：Ｙｅｓ）、実行指令手段２０２は、プリンタ３に対して残りページに係る第２の印刷の実行、すなわち、第２の印刷の再開を指令する（Ｓ７９）。プリンタ３は、第２の印刷を再開して残りのメディア５に第２の印刷を実行する。
【００７１】
図１０は、第２の印刷の再開により排出されるメディア５の一例を示す図である。上述のステップ７０からＳ７９の動作により、図１０に示すように、第２の印刷が中断せず完了したメディア５（説明の例では、１枚目のメディア５ａ）と、リカバリシート５ｅと、動作の再開により第２の印刷が完了したメディア５（説明の例では、４枚目のメディア５ｄ）とが予め定められた順番でプリンタ３から排出される。
【００７２】
（不足分の回収）
次に、上述のジャムにより失われたメディア５ｂ，５ｃの回収について説明する。一例として、ユーザによる指示に応じて、実行指令手段２０２は、プリンタ３に対して、記憶部２１に記憶された第１のテンポラリジョブ２１１１Ａ、及び第２のテンポラリジョブ２１１１Ｂの実行を指令する。
【００７３】
図１１（ａ）及び（ｂ）に示すように、プリンタ３は、給紙トレイ３２にセットされている新たな印刷媒体に対して、失われた２枚目のメディア５ｂ及び３枚目のメディア５ｃに対対応する第２の印刷データを白色で印刷する第１の印刷を実行し、その後第１の印刷に対応する順序で重ねて第２の印刷を実行する。
【００７４】
ユーザは、図１１（ｂ）に示す補充された２枚目のメディア５ｂ及び３枚目のメディア５ｃを図１０に示すリカバリシート５ｅの位置に挿入するとともに、このリカバリシート５ｅを取り除く。
【００７５】
以上のようにして、ジャムが発生して一部のメディア５が失われた場合であっても、失われたメディア５を手動で特定することなく失われたメディア５が回収されるとともに、回収されたメディア５が適切な位置に挿入される。
【００７６】
また、以上のようにすれば、全部のページの印刷をやり直すことなく、印刷の順序をずらさずに第１の印刷が行われたメディア５に対応する第２の印刷が実行される。
【００７７】
＜変形例１＞
上述の実施の形態では、失われたメディア５の位置にリカバリシート５ｅを排出するようにしたが、必ずしもリカバリシート５ｅを利用する形態に限られない。以下、変形例１について、図１２及び図１３を参照して具体的に説明する。
【００７８】
変形例１では、ジャム発生後の処理において、上述したステップＳ７０からＳ７９のうちステップＳ７７を除くステップＳ７０からＳ７６、Ｓ７８及びＳ７９と同様に動作する。すなわち、ジャムの発生前に第２の印刷が完了している１枚目のメディア５ａ、及びジャム発生後の動作の再開により第２の印刷が完了した４枚目のメディア５ｄが予め定められた順序で排出される。
【００７９】
図１２は、給紙確認ダイアログの一例を示す図である。表示制御手段２０３は、排出されたメディア５の給紙先をユーザに案内する給紙確認ダイアログ６Ａを表示するよう制御してもよい。給紙確認ダイアログ６Ａは、給紙の確認を行う給紙確認画面の一例である。
【００８０】
図１２に示すように、給紙確認ダイアログ６Ａには、例えば、第２の印刷が完了して排出されたメディア５をインターポーザートレイ３１（図１３（ａ）参照）にセットするよう促すメッセージ６１Ａや印刷の再開を指示するプリント開始釦６３が設けられている。
【００８１】
図１３は、変形例に係る不足分の回収の一例を示す図であり、（ａ）は、プリンタ３の構成の一例を示し、（ｂ）は、インターポーザートレイの拡大図、（ｃ）は、給紙トレイの拡大図、（ｄ）は、（ｃ）に示す給紙トレイにセットされたメディア５の順序を示す図である。図１３（ａ）に示すように、このプリンタ３は、インターポーザートレイ３１と、給紙トレイ３２とを備えている。インターポーザートレイ３１は、手差し用の給紙トレイの一例である。
【００８２】
次に、不足分の回収に際し、図１３（ｂ）に示すように、ユーザは、プリンタ３から排出された１枚目のメディア５ａ及び４枚目のメディア５ｄをインターポーザートレイ３１に予め定められた順番でセットする。
【００８３】
次に、プリント開始釦６３に対して操作が行われると、プリンタ３は、図１３（ｃ）及び（ｄ）に示すように、実行指令手段２０２による指令に応じて、失われたメディア５に対応する第１の印刷を実行して排出する。
【００８４】
ユーザは、排出された第１の印刷が完了している２枚目のメディア５ｂ及び３枚目のメディア５ｃを予め定められた順序で給紙トレイ３２にセットする。
【００８５】
次にプリンタ３は、まず、インターポーザートレイ３１にセットされたメディア５のうちジャムによる中断直前までに排出されたメディア５（１枚目のメディア５ａのみ）をフィードするとともに、新たな印刷を実行せずにそのままプリンタ３から排出する。なお、ジャムによる中断直前か否かについては、例えば、ジャム情報２１４に応じて実行指令手段２０２からの指令に応じて判断してもよい。
【００８６】
次に、プリンタ３は、給紙トレイ３２にセットされた、第１の印刷が完了しているメディア５（２枚目のメディア５ｂ及び３枚目のメディア５ｃ）をフィードし、これらに第２の印刷を実行してプリンタ３から排出する。
【００８７】
次に、プリンタ３は、インターポーザートレイ３１にセットされたメディア５にセットされた残りのメディア５（４枚目のメディア５ｄ）をフィードするとともに、新たな印刷を実行せずにそのままプリンタ３から排出する。
【００８８】
以上のようにすれば、リカバリシート５ｅを生成して排出しなくとも、失われたメディア５に対応する第１及び第２の印刷を完了して不足分が回収される。
【００８９】
＜変形例２＞
図１４は、変形例に係る不足分の回収の一例を示す図であり、（ａ）は、ジャムが発生する前に第２の印刷が完了したメディア５、及び不足分として回収された第１の印刷が完了してメディア５の排出の一例を示す図、（ｂ）は、ジャムが発生する前に第２の印刷が完了したメディア５、及び不足分として回収された第２の印刷が完了してメディア５の排出の一例を示す図である。
【００９０】
図１４（ａ）及び（ｂ）に示すように、プリンタ３は、第１の排出トレイ３３と第２の排出トレイ３４とを備えている。第１の排出トレイ３３及び第２の排出トレイ３４は、互いに異なる排出先として設定されているものであり、物理的に異なるトレイであってもよく、また、物理的に同一のトレイであって論理的に異なる排出先として指定されているものであってもよい。第１の排出トレイ３３及び第２の排出トレイ３４は、出力先の一例である。
【００９１】
変形例２では、上述の実施の形態で説明したステップＳ７０からＳ７６と同様に動作する。すなわち、図１４（ａ）に示すように、ジャムの発生前に排出された第２の印刷が完了している１枚目のメディア５ａがまず第１の排出トレイ３３に排出される。
【００９２】
次に、不足分の回収に際し、図１４（ａ）に示すように、プリンタ３は、実行指令手段２０２による指令に応じて、失われたメディア５ｂ，５ｃに対応する第１の印刷を実行するとともに、第１の印刷が完了したメディア５ｂ，５ｃを第２の排出トレイ３４に排出する。
【００９３】
ユーザは、第１の印刷が完了している２枚目のメディア５ｂ及び３枚目のメディア５ｃを予め定められた順序で給紙トレイ３２にセットする（図１３（ｃ）参照）。
【００９４】
次にプリンタ３は、給紙トレイ３２にセットされたメディア５に対して第２の印刷を実行して、図１４（ｂ）に示すように、第１の排出トレイ３３に排出する。次に、残りのページである４枚目以降のメディア５に対して第２の印刷を再開する。
【００９５】
以上のようにすれば、リカバリシート５ｅを生成して排出しなくとも、失われたメディア５に対応する第１及び第２の印刷を完了して不足分が回収される。
【００９６】
以上、本発明の実施の形態を説明したが、本発明の実施の形態は上記実施の形態に限定されるものではなく、本発明の要旨を変更しない範囲内で種々の変形、実施が可能である。例えば、端末装置４は必ずしも設ける必要はなく、端末装置４の機能をプリンタ３に設け、プリンタ３の操作表示部（不図示）に対するユーザ操作に応じて上述の処理を実行するようにしてもよい。また、印刷制御装置２とプリンタ３とを別々に設けずに、両者の機能を一体化して１つの装置としてもよい。
【００９７】
また、追い刷りの際に印刷が行われたメディア５をプリンタ３から排出するときにメディア５のおもて面及びうら面のうちいずれの面を上向きにして排出するかを示す情報（以下、単に「排出面」ともいう。）と、複数のページ画像を印刷する場合に最終のページから先頭のページに向かって印刷を行うか否かを示す情報（以下、「最終ページから印刷」ともいう。）とを設定してもよい。
【００９８】
また、追い刷りの回数を予め設定してもよい。追い刷りの回数を予め設定する方法は、例えば、どの程度の白色印刷を行えばよいかの目途となる情報が予め得られている場合に特に有効である。追い刷りの回数は、予めユーザにより設定してもよい。追い刷りの回数を示す数情報は、例えば、印刷ジョブに含めてもよい。なお、追い刷りの回数として、第１の印刷の回数を指定してもよく、第１の印刷の回数及び第２の印刷の回数の合計回数を指定してもよい。
【００９９】
制御部２０の各手段は、それぞれ一部又は全部を再構成可能回路（ＦＰＧＡ：Field Programmable Gate Array）、特定用途向け集積回路（ＡＳＩＣ：Application Specific Integrated Circuit）等のハードウエア回路によって構成してもよい。
【０１００】
また、本発明の要旨を変更しない範囲内で、上記実施の形態の構成要素の一部を省くことや変更することが可能である。また、本発明の要旨を変更しない範囲内で、上記実施の形態のフローにおいて、ステップの追加、削除、変更、入替え等が可能である。また、上記実施の形態で用いたプログラムをＣＤ−ＲＯＭ等のコンピュータで読み取り可能な記録媒体に記録して提供することができ、クラウドサーバ等の外部サーバに格納しておき、ネットワークを介して利用することもできる。
【符号の説明】
【０１０１】
１  印刷システム
２  印刷制御装置
２０  制御部
２００  受付手段
２０１  処理手段
２０２  実行指令手段
２０３  表示制御手段
２０４  検知手段
２０５  生成手段
２０６  取得手段
２０７  排出指令手段
２１  記憶部
２１０  プログラム
２１１  ジョブ情報
２１２  用紙属性情報
２１３  画面情報
２１４  ジャム情報
２１１０  印刷ジョブ
２１１０  オリジナルジョブ
２１１１  テンポラリジョブ
２１１１Ａ  第１のテンポラリジョブ
２１１１Ｂ  第２のテンポラリジョブ
２２  入力部
２３  表示部
２４  ネットワーク通信部
３  プリンタ
３１  インターポーザートレイ
３２  給紙トレイ
３３  第１の排出トレイ
３４  第２の排出トレイ
４  端末装置
５，５Ａ，５Ｂ，５ａ〜５ｄ  メディア
５Ａ  給紙されたメディア
５Ｂ  排出されたメディア
５ａ  １枚目のメディア
５ｂ  ２枚目のメディア
５ｃ  ３枚目のメディア
５ｄ  ４枚目のメディア
５ｅ  リカバリシート
５０  ラスター画像
５０Ａ  特殊版
５０Ｂ  ＣＭＹＫ版
５００  ジャムＩＤ
５００Ａ  第１のテンポラリジョブＩＤ
５００Ｂ  第２のテンポラリジョブＩＤ
５１  白色記録材層
５２  ＣＭＹＫ記録材層
５２Ｃ  Ｃ層
５２Ｍ  Ｍ層
５２Ｙ  Ｙ層
５２Ｋ  Ｋ層
６  再開確認ダイアログ
６Ａ  給紙確認ダイアログ
６１，６１Ａ  メッセージ
６３  プリント開始釦
７  ネットワーク
【図１】
2020052500.tif 000003
【図２】
2020052500.tif 000004
【図３】
2020052500.tif 000005
【図４】
2020052500.tif 000006
【図５】
2020052500.tif 000007
【図６】
2020052500.tif 000008
【図７】
2020052500.tif 000009
【図８】
2020052500.tif 000010
【図９】
2020052500.tif 000011
【図１０】
2020052500.tif 000012
【図１１】
2020052500.tif 000013
【図１２】
2020052500.tif 000014
【図１３】
2020052500.tif 000015
【図１４】
2020052500.tif 000016